(57)【要約】【課題】その需要の部材がすでに一緒にコンパクトになっていて携帯にも使用にも従来より便利であるオーステナイト系ステンレス鋼の判別用計測セットを提供する。【解決手段】オーステナイト系ステンレス鋼の判別に使用される計測セットであって、少なくとも、そのケーシングからそれぞれ陰陽二極の探針が突出している計測器を備えている携帯型計測セット、乃至、オーステナイト系ステンレス鋼の判別に使用される計測セットであって、そのケーシングからそれぞれ陰陽二極の探針が突出している計測器と、通電によってオーステナイト系ステンレス鋼を電解できる酸性溶液がボトルに入っている電解液収納瓶とを備える。【選択図】図１
2009085914.tif 000002
【特許請求の範囲】
【請求項１】
オーステナイト系ステンレス鋼の判別に使用される計測セットであって、少なくとも、そのケーシングからそれぞれ陰陽二極の探針が突出している計測器を備えていることを特徴とする、携帯型計測セット。
【請求項２】
オーステナイト系ステンレス鋼の判別に使用される計測セットであって、
そのケーシングからそれぞれ陰陽二極の探針が突出している計測器と、
通電によってオーステナイト系ステンレス鋼を電解できる酸性溶液がボトルに入っている電解液収納瓶とを備えており、
オーステナイト系ステンレス鋼の表面に前記酸性溶液をおいてから、前記計測器を、陰極探針が酸性溶液の液滴内に陽極探針が表面だけにとオーステナイト系ステンレス鋼に接触させ、酸性溶液の電解による色変の度合いからオーステナイト系ステンレス鋼の判別を行うことができることを特徴とする、携帯型計測セット。
【請求項３】
前記計測器のケーシングは、反対二端を有するペン形のものであって、前記陰陽二極の探針はその同一端から出ており、
また、該同一端には、クリップ付き蓋が取外し可能についていることを特徴とする、請求項１または請求項２に記載の携帯型計測セット。
【請求項４】
前記クリップ付き蓋は、その一端が前記計測器の一端に外嵌できる開口を有し、他端が閉塞となっている長筒形のものであり、該長筒形の他端の外側に更に磁性体がついており、
また、該クリップ付き蓋が前記計測器の一端に外嵌しており、前記陰陽二極の探針が蓋の内部周壁に沿って延在しながら互いにに並列し、その間に前記電解液収納瓶を収納する空間を残していることを特徴とする、請求項３に記載の携帯型計測セット。
【請求項５】
前記計測器のケーシングには、前記探針の一つへの電源供給を常時オフにさせるスイッチが設置されていることを特徴とする、請求項３に記載の携帯型計測セット。
【請求項６】
前記計測器のケーシングには、前記探針の一つへの電源供給が通る発光ダイオードが設置されていることを特徴とする、請求項５に記載の携帯型計測セット。
【請求項７】
前記ケーシングの他端には、後押しプラグがついており、
また、ケーシング内には、
前記後押しプラグの近くには電池室あり、電池が該電池室に入れられると前記後押しプラグに押されて電池の陽極が前記陽極探針と、陰極が前記陰極探針と、それぞれ通路になるように構成されていることを特徴とする、請求項６に記載の携帯型計測セット。
【請求項８】
前記ケーシング内には、絶縁材からなる隔板が設けられており、
該隔板の前記他端側に陽極シートが、反対側に陰極シートがそれぞれ設けられており、
前記陽極探針の内端部が、前記隔板を貫通して前記陽極シートと連結し、前記陰極探針の内端部が、前記陰極シートと連結しており、
また、前記後押しプラグの前記一端側に、前記陰極シートと電気的に連続している上、前記後押しプラグに押されて電池の陰極側を押圧することができるように構成された押さえ板が設けられており、
前記陽極シートの前記他端側にそれを介して電池の陽極と対抗するためのバネが設けられており、
それにより、前記電池室に電池を入れられてから前記後押しプラグを付けられると、前記押さえ板は前記バネに対抗しながら電池の陰極と接触して前記陰極シートを導通させる上、電池を押して電池の陽極を前記バネを介して前記陽極シートと導通させ、前記陰陽二極の探針を前記スイッチの制御に作業されるようにさせることができることを特徴とする、請求項７に記載の携帯型計測セット。
【請求項９】
前記酸性溶液は硫酸塩溶液であることを特徴とする、請求項２に記載の携帯型計測セット。
【発明の詳細な説明】
【技術分野】
【０００１】
本発明は、オーステナイト系ステンレス鋼の計測セットに関し、特にオーステナイト系ステンレス鋼のニッケル（Ｎｉ）含量による分類を判別するための携帯型計測セットに関する。
【背景技術】
【０００２】
ステンレス鋼は、主成分の鉄にクロムやニッケルを含有させた合金鋼であって、クロム系ステンレス鋼とクロム・ニッケル系ステンレス鋼とに大別される。
【０００３】
クロム・ニッケル系ステンレス鋼は、通常、オーステナイト系ステンレス鋼と呼ばれ、その中に特に３００系は耐食性にも、機械的性質にも、また溶接・加工性にも優れるため、大量に使用されて世界のステンレス鋼生産量の７０％超を占めている。
【０００４】
しかし、２００３年以来のニッケル価格の高騰、及び、中国市場のオーステナイト系ステンレス鋼に対するデマンドが原因で、高マンガン・低ニッケルの安価な２００系がどんどん市場に入っている。
【０００５】
ただ、３００系と２００系とは性質が遥かに違うが、ともに非磁性のものであるため、見分けがつきにくく、非常に紛れやすい。もし、不当表示とされれば、業主ないし消費者の不利益につながる一方、スクラップを溶解するミルのスクラップ分別管理にも困難さを与え、世界的な問題になっている。
【０００６】
製鋼業者には、３００系と２００系とをいろいろな鋼種から正確に選別する技術がもちろん存在しているが、その分析や選別過程が複雑であって手間がかなりかかるため、諸事万端の現場でそれらに一時に紛れないように「これは３００系ではない」と簡単に且つ快速に判別できる方法やツールが重要視されている。
【０００７】
従来のこのような簡易分別法としては、２００系のものを「３００系である」としてこれに電解・発色液を染み込ませた電解紙を乗せてから、リードで電池の両極にそれぞれ接続している２探針における陰極探針を電解紙に、陽極探針をそのものの表面の他の部分に押し付けて電解紙の発色を観察するように行われている。この方法では、２００系は高マンガン・低ニッケルのものであってマンガンを多く含有しているので、発色が３００系と遥かに違うので、それによって直ぐ判別できる（非特許文献１を参照）。
【非特許文献１】日刊産業新聞  新製品・新技術情報（２００４年１２月２４日）
【発明の開示】
【発明が解決しようとする課題】
【０００８】
前記簡易分別法は、確かに現場での３００系と２００系との間の一時的な紛れを簡単に避けることができるが、やはりリードや電池、探針、電解紙、電解・発色液などをそれぞれ随時に用意しなければならないため、常に諸事万端に追われる工員に対して煩わし過ぎるので、発明者は、本発明を提供する。
【０００９】
即ち、本発明は、その需要のリードや電池、探針、電解紙、乃至、その電解・発色液がすでに一緒にコンパクトになっていて携帯にも使用にも従来より便利であるオーステナイト系ステンレス鋼の判別用計測セットを提供することを目的とする。
【課題を解決するための手段】
【００１０】
前記目的を達成するために、本発明は、オーステナイト系ステンレス鋼の判別に使用される計測セットであって、少なくとも、そのケーシングからそれぞれ陰陽二極の探針が突出している計測器を備えている携帯型計測セット、乃至、オーステナイト系ステンレス鋼の判別に使用される計測セットであって、そのケーシングからそれぞれ陰陽二極の探針が突出している計測器と、通電によってオーステナイト系ステンレス鋼を電解できる酸性溶液がボトルに入っている電解液収納瓶とを備えている携帯型計測セットを提供する。
【発明の効果】
【００１１】
前記携帯型計測セットによると、３００系と２００系との間の一時的な紛れを避けようとする場合、その場で簡単にオーステナイト系ステンレス鋼の表面に前記酸性溶液をおいてから、前記計測器を、陰極探針が酸性溶液の液滴内に陽極探針が表面だけにとオーステナイト系ステンレス鋼に接触させ、酸性溶液の電解による色変の度合いから直ぐオーステナイト系ステンレス鋼の判別を行うことができる。
【発明を実施するための最良の形態】
【００１２】
この発明の上記その他の目的と特徴は以下の説明を添付図面とあわせて参照することによって明らかとなろう。なお、図中、似ている部分には、同一の参照符号を付する。
【００１３】
まず、図１及び図２を参照しながら本発明の好適な実施形態のオーステナイト系ステンレス鋼の携帯型計測セットを説明する。
【００１４】
図１に示すのは、そのセット全体の携帯時の組合形態を示す縦断面構成図である。
図示のように、該携帯型計測セットは、主として計測器１と、クリップ付き蓋２と、電解液収納瓶３とからなっている。
計測器１は、反対二端を有するペン形のケーシング１０を有する。
【００１５】
ケーシング１０の一端（図中における右の方）から、電解するための陰陽二極の探針１２１、１２２が出ており、クリップ（２１）付き蓋２は、丁度ケーシング１０の該端に取外し可能についている。クリップ付き蓋２の構造を更に詳細に言うと、それは、その一端が計測器１の前記一端に外嵌できる開口２０を有し、他端が閉塞となっている長筒形のものであり、該長筒形の他端の外側に更に磁性体２２がついている。３００系と２００系とのオーステナイト系ステンレス鋼は共に非磁性のものであるため、この携帯型計測セットの電解による判別を行う前、まず該磁性体２２によって「３００系または２００系であるか否か」及び「電解分析を行う必要があるかどうか」を簡単且つ快速に判別することができる。また、該クリップ付き蓋２が前記計測器１の一端に外嵌している場合、前記陰陽二極の探針１２１、１２２が蓋の内部周壁に沿って延在しながら互いにに並列し、その間に前記電解液収納瓶３を収納する空間を残している。
【００１６】
そして、電解液収納瓶３を説明すると、蓋付きボトルであってその中に通電によってオーステナイト系ステンレス鋼を電解できる酸性溶液が入っているものである。因みに、酸性溶液として電解を促すどんな酸液を使用しても良いが、安全のために、硫酸塩溶液、例えば、硫酸マグネシウムや硫酸カリウムなどの弱い酸性溶液を使用した方が良い。
【００１７】
以上は、本発明の携帯型計測セットのセット全体の構成関係を説明したが、次に、その詳細な構造を更に説明する。
【００１８】
図２に示すのは、計測器１とクリップ付き蓋２の分解図である。ケーシング１０の他端には、後押しプラグ１０１がついている。ケーシング１０内には、後押しプラグ１０１の近くには電池室１１０がなる上、電池１１１（３Ｖ、３枚）が該電池室１１０に入れられると後押しプラグ１０１に押されて電池の陽極１１１Ｂが陽極探針１２２と、陰極１１１Ａが陰極探針１２１と、それぞれ通路になるように構成されている。
【００１９】
前記に関係する構成をもっと詳細に説明すると、ケーシング１０内には、絶縁材からなる隔板１０３が設けられており、該隔板１０３の前記他端側に陽極シート１６２が、反対側に陰極シート１６１がそれぞれ設けられている。陽極探針１２２の内端部が、隔板１０３を貫通して陽極シート１６２と連結し、陰極探針１２１の内端部が、陰極シート１６１と連結している。また、ケーシング１０内の、後押しプラグ１０１の前記一端側に押さえ板１０２が設けられている。該押さえ板１０２は、陰極シート１６１と電気的に連続している上、後押しプラグ１０１に押されて電池の陰極１１１Ａ側を押圧することができるように構成されている。さらに、陽極シート１６２の前記他端側にそれを介して電池の陽極１１１Ｂと対抗するためのバネ１４が設けられており、それにより、電池室１１０に電池１１１を入れられてから後押しプラグ１０１を付けられると、押さえ板１０２はバネ１４に対抗しながら電池の陰極１１１Ａと接触して陰極シート１６１を導通させる上、電池１１１を押して電池の陽極１１１Ｂをバネ１４を介して陽極シート１６２と導通させ、陰陽二極の探針１２１、１２２を下記スイッチ１３の制御に作業されるようにさせることができる。
【００２０】
そして、図３に示すのは、前記スイッチ１３のオフ時の説明図であり、図４は前記スイッチ１３のオン時の説明図である。即ち、スイッチ１３は、前記計測器のケーシング１０において、探針１２１への電源供給を図３に示す常時オフにさせるが、図４の矢印方向に押されると、陰極シート１６１から延伸した導体１６１Ａと接触し、陰極シート１６１と導通することができるように設置されている。
【００２１】
また、前記計測器のケーシング１０には、探針１２１への電源供給が通る発光ダイオード１７（以下ＬＥＤと略記する・図１及び図２参照）が設置されている。ＬＥＤ１７への電源供給は、陰極リード１７１が、隔板１５を貫通して陰極シート１６１と電気的に連続している上、陽極リード１７２が、バネ１４を介して陽極シート１６２と電気的に連続しているように構成されている。スイッチ１３がオンにさせられ、且つ、陰陽二極の探針１２１、１２２が電解を行う導通状態になっている際に、ＬＥＤ１７は光を放すので、それから陰陽両極が稼動中であるか否かを確認することができる。
【００２２】
次に、本発明の使用を説明する。
クロム系ステンレス鋼（Ａ）とクロム・ニッケル系ステンレス鋼（Ｂ１、Ｂ２）の種類は、通常、下記となる。
（Ａ）クロム系（フェライト系及びマルテンサイト系）
（Ｂ１）クロム・ニッケル系（一般オーステナイト系；主に３００系）
（Ｂ２）クロム・マンガン系（高マンガン・低ニッケル型オーステナイト系；主に２００系）
このうち、（Ａ）は強磁性体で、（Ｂ１）と（Ｂ２）は、ともに非磁性体である。
【００２３】
本発明の携帯型計測セットの使用については、例えばステンレス鋼の納入を担当する工員が該計測セットを随時に携帯し、現場に仕事をする。
【００２４】
現場で２００系や３００系のステンレス鋼を納入する場合、納入対象４に電解による判別を行う前、まず磁性体２２によって「磁性あるかどうか」と先に計って「クロム・ニッケル系ステンレス鋼であるか否か」を判別し、もしクロム・ニッケル系ステンレス鋼であれば、続いて、図５をも参照するように、携帯型計測セットから電解液収納瓶３を取り出し、計測対象４の表面４１に硫酸マグネシウム溶液を一滴おいてから、陰極探針１２１が硫酸マグネシウム溶液の液滴内に陽極探針１２２が表面４１だけにとオーステナイト系ステンレス鋼に接触させ、硫酸マグネシウム溶液を電解させる。
【００２５】
その時、図６に示すように、２００系は高マンガン・低ニッケルマンガンであってマンガンを多く含有しているので、発色が３００系と遥かに違う（Ｍｎ７＋：赤紫色；Ｆｅ３＋：黄色）ので、その色変の度合いからこの計測対象が２００系であるかまたは３００系であるかを直ぐ判別することができる。
【産業上の利用可能性】
【００２６】
如上のように、本発明の携帯型計測セットによると、３００系と２００系との間の一時的な紛れを避けようとする場合、その場で簡単にオーステナイト系ステンレス鋼の表面に前記酸性溶液をおいてから、前記計測器を、陰極探針が酸性溶液の液滴内に陽極探針が表面だけにとオーステナイト系ステンレス鋼に接触させ、酸性溶液の電解による色変の度合いから直ぐオーステナイト系ステンレス鋼の判別を行うことができる。
【００２７】
即ち、本発明は、その需要のリードや電池、探針、電解紙、乃至、その電解・発色液がすでに一緒にコンパクトになっているため、携帯にも使用にも従来より便利である。
【図面の簡単な説明】
【００２８】
【図１】実施の形態に係る携帯型計測セットの縦断面構成図である。
【図２】実施の形態に係る計測器１とクリップ付き蓋２の分解図である。
【図３】携帯型計測セットにおけるスイッチのオフ時の説明図である。
【図４】前記スイッチのオン時の説明図である。
【図５】前記携帯型計測セットの使用説明図である。
【図６】前記携帯型計測セットによる電解の成分柱状図である。
【符号の説明】
【００２９】
１        計測器
１０      ケーシング
１０１    後押しプラグ
１０２    押さえ板
１０３    隔板
１１０    電池室
１１１    電池
１１１Ａ  電池の陰極
１１１Ｂ  電池の陽極
１２１    陰極の探針
１２２    陽極の探針
１３      スイッチ
１４      バネ
１６１    陰極シート
１６１Ａ  導体
１６２    陽極シート
１７      発光ダイオード（ＬＥＤ）
１７１    陰極リード
１７２    陽極リード
２        クリップ付き蓋
２０      開口
２１      クリップ
２２      磁性体
３        電解液収納瓶
４        計測鋼
４１      表面
【図１】
2009085914.tif 000003
【図２】
2009085914.tif 000004
【図３】
2009085914.tif 000005
【図４】
2009085914.tif 000006
【図５】
2009085914.tif 000007
【図６】
2009085914.tif 000008